(57)【要約】      （修正有）【課題】ヘルメットの装着者に対して着脱の手間、息苦しさ、体温上昇、及び外された後の保管の手間を感じさせず、さらに着脱時の動作に伴う汚れを回避するヘルメット用マスク及びこのマスクが装着されたヘルメットを提供する。【解決手段】ヘルメット用マスクは、ヘルメット本体下部Ｈ１ａに着脱自在に取り付けられるホルダー１と、ホルダー１に回動自在に取り付けられるアーム２と、アーム２に取り付けられるマスク本体３と、を備えている。【選択図】図１
0003234175.tif 000002
【実用新案登録請求の範囲】
【請求項１】
ヘルメット本体の下部に着脱自在に取り付けられるホルダーと、
ホルダーに回動自在に取り付けられるアームと、
アームに取り付けられるマスク本体と、を備えた
ことを特徴とするヘルメット用マスク。
【請求項２】
ホルダーは、ヘルメット本体の下部の左右両側をスライド自在に取り付けられる
ことを特徴とする請求項１に記載のヘルメット用マスク。
【請求項３】
マスク本体は、アームに対して回動自在に取り付けられる
ことを特徴とする請求項１又は２に記載のヘルメット用マスク。
【請求項４】
アームは、ヘルメット本体の下部付近から吊り下げられる顎紐より外側に位置し、
マスク本体は、ヘルメット本体の鍔より外側に位置する
ことを特徴とする請求項１乃至３のいずれかに記載のヘルメット用マスク。
【請求項５】
請求項１乃至４のいずれかに記載のヘルメット用マスクが装着されたヘルメット。
【考案の詳細な説明】
【技術分野】
【０００１】
本考案は、例えば建設現場用のヘルメットに装着される衛生用マスク及びこのマスクが装着されたヘルメットに関する。
【背景技術】
【０００２】
従来から衛生用マスク（以下、単に「マスク」ともいう。）は、装着者の口元を覆う不織布といった生地製の被覆材と、被覆材に取り付けられて装着者の耳に引っ掛けるゴム製の紐材とで構成されていた。マスクは、一般的に装着者の顔面に触れる程度の距離感で装着されればよいことから、マスクの使用状況によっては装着者の顔面とマスクとの間に他の装着物が介在することもあった。
【０００３】
例えば特許文献１では、ヘルメットを装着した状態でマスクの着脱を容易にする掛け具が開示されている。上記掛け具は、ヘルメットの下部に対して上方向に押し込まれて取り付けられる連結部と、連結部と一体的に形成された紐掛部と、を備えている。この構成によれば装着者は、ヘルメットを外さなくても顎紐の上からマスクの着脱を行える効果を期待できるというものである。
【先行技術文献】
【特許文献】
【０００４】
【特許文献１】実用新案登録第３２２８１５４号公報
【考案の概要】
【考案が解決しようとする課題】
【０００５】
しかしながら特許文献１では、建設現場のような実働を伴う外環境に対する課題を解決し切れていない。詳細には、従来のマスクは、顔面に密着するため装着者に息苦しさや体温上昇を感じさせたり、外された後の保管場所や保管方法の問題があったり、着脱が装着者等の指先で行われるため汚れやすかったりしたものの、特許文献１の掛け具は従来のマスクを前提としているため、これらの課題を解決するには至らない。
【０００６】
また耳から後頭部に渡って引っ掛けて口元を覆うヘッドセットタイプのマスクも公知技術として開示されている。上記マスクは、顔面に密着しないため装着者に息苦しさや体温上昇を感じさないものの、やはり外された後の保管場所や保管方法の問題があったり、着脱が装着者等の指先で行われるため汚れやすかったりした。さらに上記マスクは、装着者の口元に接しないよう人前で声を発する状況を配慮したものであり、ヘルメットの装着者を配慮したものではない。
【０００７】
そこで本考案の目的は、ヘルメットの装着者に対して着脱の手間、息苦しさ、体温上昇、及び外された後の保管の手間を感じさせず、さらに着脱時の動作に伴う汚れを回避するヘルメット用マスク及びこのマスクが装着されたヘルメットを提供することにある。
【課題を解決するための手段】
【０００８】
すなわち本考案におけるヘルメット用マスクは、ヘルメット本体の下部に着脱自在に取り付けられるホルダーと、ホルダーに回動自在に取り付けられるアームと、アームに取り付けられるマスク本体と、を備えたことを特徴とする。
【０００９】
ホルダーは、ヘルメット本体の下部の左右両側をスライド自在に取り付けられることが望ましい。
【００１０】
マスク本体は、アームに対して回動自在に取り付けられることが望ましい。
【００１１】
アームは、ヘルメット本体の下部から吊り下げられる顎紐より外側に位置し、マスク本体は、ヘルメット本体の鍔より外側に位置することが望ましい。
【００１２】
また本考案におけるヘルメットは、上記ヘルメット用マスクが装着されていることを特徴とする。
【考案の効果】
【００１３】
本考案によれば、ヘルメットの装着者に対して着脱の手間、息苦しさ、体温上昇、及び外された後の保管の手間を感じさせず、さらに着脱時の動作に伴う汚れを回避することを期待できる。またこういった効果の他にも、蒸し暑さを回避すること、顔全体を覆うものより曇りが少ないこと、メガネやシールドとの同時装着でも曇りにくいこと、口臭が気にならないこと、飛沫を防止すること、装着者の表情が確認しやすいためコミュニケーションの障害にならず顔色などから体調確認しやすいこと、使い捨てではなく破損しない限り複数回使用すること、肌に直接触れないため肌荒れやかぶれを引き起こしにくいことも期待できる。
【図面の簡単な説明】
【００１４】
【図１】本考案の一実施形態におけるヘルメット用マスクがヘルメットに装着された状態の一例を示す正面図（Ａ）及び右側面図（Ｂ）である。
【図２】上記ヘルメット用マスクの一部材の正面図（Ａ）及び側面図（Ｂ）である。
【図３】上記ヘルメット用マスクがヘルメットに装着された状態の別の例を示す正面図（Ａ）及び右側面図（Ｂ）である。
【考案を実施するための形態】
【００１５】
図１〜図３を参照しつつ、本考案の一実施形態におけるヘルメット用マスク（以下、「本ヘルメット用マスク」ともいう。）について説明する。これらの図において、複数個存在する同一の部位については、一つの部位のみに符番した部分もある。説明の便宜上、所定の部位やこの引き出し線をかくれ線（破線）や想像線（二点鎖線）で示した部分もある。説明において、上方、下方、側方、垂直方向、水平方向等の方向を示す用語は、基本的にヘルメットが装着された状態を基準とし、これ以外を基準にする場合は適宜説明する。
【００１６】
＜本ヘルメット用マスクの概要＞
図１に示すように、本ヘルメット用マスクは、例えば建設現場用、工事現場用、避難用といた安全性を配慮したヘルメットＨに装着されるものである。ヘルメットＨのタイプは、頭部全部から顎まで覆うフルフェイスタイプ以外であればいずれでもよく、頭部半分を覆うハーフタイプでも、後頭部を含んで覆うジェットタイプでもよく、サイズ・形状・機能も、従来技術によるものでよく、限定されない。
【００１７】
ヘルメットＨは、装着時に頭部の周方向に位置するヘルメット本体下部Ｈ１ａを有するヘルメット本体Ｈ１と、ヘルメット本体下部Ｈ１ａ付近から吊り下がるように取り付けられているヘルメット顎紐Ｈ２と、を備えている。ヘルメット本体Ｈは、外方向に突き出ているヘルメット本体鍔部Ｈ１ｂを有しているが、有していなくてもよい。ヘルメット本体下部Ｈ１ａは、ヘルメット本体Ｈ１の表面と面一状であるが、表面より外側に張り出したレール状であってもよい。
【００１８】
図１に示すように、本ヘルメット用マスクは、ヘルメット本体下部Ｈ１ａに着脱自在に取り付けられるホルダー１と、ホルダー１に回動自在に取り付けられるアーム２と、アーム２に取り付けられるマスク本体３と、を備えている。この構成によれば、従来から使われているヘルメットＨにホルダー１を介して本ヘルメット用マスクを付け外しでき、ヘルメットＨの装着者の頭・顔・口元といった身体の大きさや作業・会話・気温といった状況に応じてホルダー１を中心にアーム２を回動してマスク本体３の位置や距離や高さを調整できることから、装着者に対して着脱の手間、息苦しさ、体温上昇、及び外された後の保管の手間を感じさせず、さらに着脱時の動作に伴う汚れを回避する効果を期待できる。
【００１９】
＜ホルダー１の詳細＞
図１に示すように、ホルダー１，１は、ヘルメット本体下部Ｈ１ａの左右両側をスライド自在に取り付けられる。この構成によれば、装着者の身体の大きさに応じてマスク本体３の位置をヘルメットＨの前後方向にスライドして調整できることから、アーム２の長さを調整する構造ではなくてもよい分、製造コストの軽減を期待できる。
【００２０】
図１及び図２に示すように、ホルダー１，１は、合成樹脂製であり、所定の把持力を有するクリップ状に形成されたものであるが、ヘルメット本体下部Ｈ１ａに対して抜き差し等にて着脱自在かつヘルメットＨの装着者の頭部の前後方向にスライド自在に形成されていればよく、素材・形状・長さや幅といったサイズを限定されない。ヘルメット本体下部Ｈ１ａに対するホルダー１，１の位置は、並行でも前後にずれていてもよい。ホルダー１は、左右一方に取り付けられてもよいが、左右両側に取り付けらえることで、マスク本体３の位置をズレにくくする効果も期待できる。
【００２１】
＜アーム２の詳細＞
図１に示すように、アーム２，２は、合成樹脂製であり、一方の端部がホルダー１に連結され他方の端部がマスク本体３に連結されるように帯状に形成されたもの２本１セットであるが、端部をホルダー１に回動自在に連結され、かつヘルメットＨに本ヘルメット用マスクを装着した状態でマスク本体３が装着者の口元付近に位置する構造であればよく、例えば双方の端部の各々がホルダー１，１に連結されるように一本の帯状に形成されたものでもよく、素材・形状・長さや幅といったサイズを限定されない。
【００２２】
＜マスク本体３の詳細＞
図１に示すように、マスク本体３は、アーム２に対してマスク本体回動部３２を中心に回動自在に取り付けられる。この構成によれば、ヘルメットＨの装着者が口元付近のみを所望の範囲でマスク本体３から開放しやすく、そのような状況でアーム２全体をホルダー１に対して回動しなくてもよい分、操作性の手軽さを期待できる。
【００２３】
マスク本体３は、合成樹脂製の透明かつ自立可能な板材であるが、ヘルメットＨの装着者の口元を覆うものであればよく、素材・形状・長さや幅や高さといったサイズを限定されない。マスク本体３は、アーム２と連結するマスク本体帯部３１と一体的に形成されていてもよく、マスク本体帯部３１の端部とアーム２の端部とをマスク本体回動部３２で連結してもよく、換言すると、アーム２がマスク本体回動部３２で折れ曲がる２段階構造であってもよい。
【００２４】
＜ホルダー１とアーム２との関係＞
図２に示すように、ホルダー１とアーム２とは、ネジ等で回動自在に連結されているが、例えば軸受を介して回動自在に連結されていてもよく、それぞれ着脱自在であってもなくてもよく、限定されない。ホルダー１に対してアーム２は、所望の回動角度を少なくとも２つ以上設定できるように段階的に回動しても、任意の回動角度を設定できるように無段階的に回動してもよい。
【００２５】
＜アーム２とマスク本体３との関係＞
図１に示すように、アーム２とマスク本体３とは、マスク本体回動部３２としてネジ等で回動自在に連結されているが、例えば軸受を介して回動自在に連結されていてもよく、それぞれ着脱自在であってもなくてもよく、限定されない。アーム２に対してマスク本体３は、所望の回動角度を少なくとも２つ以上設定できるように段階的に回動しても、任意の回動角度を設定できるように無段階的に回動してもよい。
【００２６】
＜本ヘルメット用マスクの動作例＞
図３に示すように、アーム２は、ヘルメット本体下部Ｈ１ａ付近から吊り下げられるヘルメット顎紐Ｈ２より外側に位置し、マスク本体３は、ヘルメット本体鍔部Ｈ１ｂより外側に位置する。この構成によれば、ヘルメットＨを装着した状態で装着者自らがアーム２やマスク本体３を回動自在であり、例えばヘルメット本体鍔部Ｈ１ｂより上方にマスク本体３を移動することもできるため、本ヘルメット用マスクを取り外さなくてもヘルメットＨの着脱を行いやすい効果を期待できる。
【００２７】
なお、本実施形態は、上述した内容に限定されず、同等の効果を得られる限り、あらゆる部位の位置・形状・寸法や、部位同士の関係を含む。
【符号の説明】
【００２８】
Ｈ        ヘルメット
Ｈ１      ヘルメット本体
Ｈ１ａ    ヘルメット本体下部
Ｈ１ｂ    ヘルメット本体鍔部
Ｈ２      ヘルメット顎紐
１        ホルダー
２        アーム
３        マスク本体
３１      マスク本体帯部
３２      マスク本体回動部
【図１】
0003234175.tif 000003
【図２】
0003234175.tif 000004
【図３】
0003234175.tif 000005